(57)【要約】【課題】物品固定部に着脱可能に固定された物品の姿勢の変更は、物品姿勢変更部を用いて簡単かつ確実に行え、物品を簡単かつ確実に着脱することができ、使用者からみて物品を任意の方向について任意の角度や姿勢で展示することができる物品支持装置を提供する。【解決手段】基部２と、物品１０を着脱可能に固定する物品固定部３と、基部２に対して物品固定部３を連結して保持する連結部４と、連結部４と物品固定部３の間に少なくとも配置されて物品固定部３に固定されている物品１０の姿勢を基部２に対して変更自在な物品姿勢変更部５とを備える。【選択図】図１
2007111344.tif 000002
【特許請求の範囲】
【請求項１】
基部と、
物品を着脱可能に固定するための物品固定部と、
上記基部に対して上記物品固定部を連結して、上記物品を上記基部から離れた位置に保持する連結部と、
上記連結部と上記物品固定部の間に少なくとも配置されていて、上記物品固定部に固定されている上記物品の姿勢を上記基部に対して変更自在な物品姿勢変更部と、を備えることを特徴とする物品支持装置。
【請求項２】
上記物品固定部は、上記物品を磁気的に吸着するマグネットを有していることを特徴とする請求項１に記載の物品支持装置。
【請求項３】
上記物品固定部は、上記物品を磁気的に吸着する複数のマグネットと、各上記マグネットを支持しており上記物品の一部の形状に合わせて弾性変形することで各上記マグネットの相互位置を変えることができる弾性変形部材と、を有していることを特徴とする請求項１に記載の物品支持装置。
【請求項４】
上記物品固定部は、上記物品の一部を着脱可能に挟んで固定する挟持部材であることを特徴とする請求項１に記載の物品支持装置。
【請求項５】
上記物品固定部は、上記物品の一部を着脱可能に固定する粘着テープを有することを特徴とする請求項１に記載の物品支持装置。
【請求項６】
上記物品姿勢変更部は、凸部と、上記凸部をはめ込んで上記凸部を回転自在に保持する凹部とから成るジョイント部を有していることを特徴とする請求項１〜５のいずれか１つの項に記載の物品支持装置。
【請求項７】
上記物品姿勢変更部の上記ジョイント部は、 上記基部と上記連結部の間の位置にも配置されていることを特徴とする請求項６に記載の物品支持装置。
【請求項８】
上記物品姿勢変更部の上記ジョイント部は、上記連結部の途中位置に配置されていることを特徴とする請求項６又は７に記載の物品支持装置。
【請求項９】
上記物品固定部、上記連結部及び上記物品姿勢変更部から成る組が、１つの上記基部に対して複数設けられていることを特徴とする請求項１〜８のいずれか１つの項に記載の物品支持装置。
【発明の詳細な説明】
【技術分野】
【０００１】
本発明は、物品を支持するための物品支持装置に関し、例えば商品や小物類を展示する際に支持、特にプラスチックモデルのような物品を支持するのに好適な物品支持装置に関するものである。
【背景技術】
【０００２】
展示をしようとする対象物品を、家庭の室内や商店の陳列ウィンドウ等で展示する場合には、物品は机やウィンドウガラスの上に直接置かずに、物品を支持する物品支持装置を用いて展示することがある。
【０００３】
物品支持装置としては、設置部と、設置部に対して斜め上方へ向けて一方向について角度を変えることができるように保持されている保持アームとを有しているものがある。保持アームの先端部は、展示しようとする物品の下部を固定するようになっている。設置部を例えば机の上において、保持アームの角度を一方向に沿って変えることで、物品は一方向に関して任意の角度で傾けて展示することができる（例えば、特許文献１参照）。
【特許文献１】特許第２８５７８５０号公報
【発明の開示】
【発明が解決しようとする課題】
【０００４】
ところが、従来の物品支持装置を用いて対象物品を展示しようとすると、使用者が対象物品を任意の方向について任意の角度や姿勢で展示することができないという問題があった。また、使用者が支持している対象物品を交換する際には、物品支持装置に対して対象物品を簡単かつ確実に着脱自在に装着できることが望まれていた。
【０００５】
本発明は、上記従来の課題に着目して成されたものであって、物品を簡単かつ確実に着脱することができ、物品を任意の方向について任意の角度や姿勢で展示することができる物品支持装置を提供することを目的としている。
【課題を解決するための手段】
【０００６】
本発明は、上記目的を達成すべく鋭意検討した結果、物品を物品固定部に着脱可能に固定して、固定した物品の姿勢を物品姿勢変更部により変更することにより、上記目的を達成できることを見いだし、本発明を完成するに至った。
【０００７】
即ち、本発明の物品支持装置は、基部と、物品を着脱可能に固定するための物品固定部と、上記基部に対して上記物品固定部を連結して上記物品を上記基部から離れた位置に保持する連結部と、上記連結部と上記物品固定部の間に少なくとも配置されていて上記物品固定部に固定されている上記物品の姿勢を上記基部に対して変更自在な物品姿勢変更部と、を備えていることを特徴とする。
【０００８】
本発明の物品支持装置では、好ましくは上記物品固定部は、上記物品を磁気的に吸着するマグネットを有している。この場合には、物品は磁気による吸着力で物品固定部に対して簡単かつ確実に着脱可能に固定できる。
【０００９】
本発明の物品支持装置では、好ましくは上記物品固定部は、上記物品を磁気的に吸着する複数のマグネットと、各上記マグネットを支持しており上記物品の一部の形状に合わせて弾性変形することで各上記マグネットの相互位置を変えることができる弾性変形部材と、を有している。この場合には、物品の形状が平坦でなくても、物品は複数のマグネット用いて簡単かつ確実に着脱可能に固定できる。
本発明の物品支持装置では、好ましくは上記物品固定部は、上記物品の一部を着脱可能に挟んで固定する挟持部材である。この場合には、物品は挟み込むだけで簡単かつ確実に着脱可能に固定できる。
本発明の物品支持装置では、好ましくは上記物品固定部は、上記物品の一部を着脱可能に固定する粘着テープを有する。この場合には、物品は貼り付けるだけで簡単かつ確実に着脱可能に固定できる。
【００１０】
本発明の物品支持装置では、好ましくは上記物品姿勢変更部は、凸部と、上記凸部をはめ込んで上記凸部を回転自在に保持する凹部とから成るジョイント部を有している。この場合には、簡単な構造を採用するだけで、基部に対する物品の角度や姿勢を自由に変更できる。
本発明の物品支持装置では、好ましくは上記物品姿勢変更部の上記ジョイント部は、上記基部と上記連結部の間の位置にも配置されている。この場合には、基部に対する物品の角度や姿勢をより自由に変更できる。
【００１１】
本発明の物品支持装置では、好ましくは上記物品姿勢変更部の上記ジョイント部は、上記連結部の途中位置に配置されている。この場合には、基部に対する物品の角度や姿勢をさらに自由に変更できる。
本発明の物品支持装置では、好ましくは上記物品固定部、上記連結部及び上記物品姿勢変更部から成る組が、１つの上記基部に対して複数設けられている。この場合には、複数の物品が同時にそれぞれ任意の角度や姿勢で簡単かつ確実に展示できる。
【発明の効果】
【００１２】
本発明によれば、物品固定部に着脱可能に固定された物品の姿勢の変更は、物品姿勢変更部を用いて簡単かつ確実に行え、物品を簡単かつ確実に着脱することができ、使用者からみて物品を任意の方向について任意の角度や姿勢で展示することができる。
【発明を実施するための最良の形態】
【００１３】
本発明の物品支持装置では、物品固定部に着脱可能に固定された物品の姿勢の変更は、物品姿勢変更部を用いて簡単かつ確実に行え、物品は物品固定部に対して簡単かつ確実に着脱することができ、使用者からみて物品を任意の方向について任意の角度や姿勢で展示することができるものである。
【００１４】
以下、本発明を実施形態により詳しく説明するが、本発明は以下の実施形態に限定されるものではない。
【００１５】
（実施形態１）
図１は、本発明の物品支持装置の好ましい実施形態を用いて、物品としての一例であるプラスチックモデルを、支持して展示している様子を示している斜視図である。図２は、図１に示す物品支持装置だけを示す斜視図である。
図３は、物品の裏面側（下面側）に配置された金属板の例を示し、図４は、金属板を磁気的に吸着する物品固定部を示す斜視図である。
【００１６】
図１と図２に基づいて、物品支持装置の構造例について説明する。
物品支持装置１は、基部２と、物品１０を着脱可能に固定する物品固定部３と、基部２に対して物品固定部３を連結して保持する連結部４と、連結部４に配置されて物品固定部３に固定されている物品１０の姿勢を基部２に対して変更自在な物品姿勢変更部５と、を備えている。
【００１７】
図示例の物品１０は、飛行機の縮尺スケールのプラスチックモデルであり、物品支持装置１はこの物品１０を使用者の好みの姿勢や角度で展示するためのものである。基部２、物品固定部３，連結部４，そして物品姿勢変更部５は、例えば透明または透光性のプラスチック材料から作られている。基部２は円盤状の部材であり、基部２は物品支持装置１を例えば机の上や商品展示ケースのガラス板の上に置いた場合に、安定した状態を維持する。
【００１８】
物品固定部３は、物品１０を着脱可能に固定して保持するために、図１と図４に示すように、複数のマグネット１１と、各マグネット１１を一体的に保持している保持部材１２とを有している。マグネット１１は円盤状の例えばネオジマグネットを使用しており、この例では４つ使用している。
図４に示す保持部材１２は、４つのマグネット１１を固定している固定部材１３と、円盤状の部材１４を有しており、固定部材１３は４つのマグネット１１を９０度間隔を離して固定した後に、固定部材１３は円盤状の部材１４の上に接着して固定されている。
【００１９】
図１と図３に示すように、物品１０の下面側（底部側）１５には、金属板の一例である鉄板１６が固定されている。すなわち、物品１０の一部分には、マグネット１１により磁気的に吸引される鉄板１６が固定されている。この鉄板１６は、物品の種類や形状に応じて貼り付ける位置が異なる。
【００２０】
次に、図１と図２に示す連結部４について説明する。
連結部４は、基部２に対して物品固定部３を連結して保持しており、この連結部４により、物品固定部３と物品１０は基部２から離れた上方位置に保持されている。連結部４は、図示例では２本の部材２１，２２を有しており、部材２１，２２は直列状に接続される棒状の部材である。この例では、部材２１は部材２２に比べて長く、部材２１は部材２２の下側に位置している。部材の本数と部材の各長さは、使用目的に応じて自由に選択することができる。
【００２１】
図１の物品姿勢変更部５は、基部２に対する物品１０の展示姿勢や角度を変えるための要素である。物品姿勢変更部５の展示姿勢や角度を変えるとともに、物品１０の基部２に対する高さ位置も変えることができる。
【００２２】
図１と図２の例では、物品姿勢変更部５は、３つのジョイント部３１，３２，３３を有している。図５は下部位置のジョイント部３１の構造例を示し、図６は中間位置のジョイント部３２の構造例を示し、図７は上部位置のジョイント部３３の構造例を示している。
図５（Ｂ）の下部のジョイント部３１は、図５（Ａ）におけるＡ−Ａ線での断面を示している。ジョイント部３１は凸部４１と凹部４２を有しており、凸部４１は部材２１の下端部において球状に形成されている。凸部４１と部材２１の下端部の間には、直径の細い部分４３が形成されている。
【００２３】
球状の凹部４２は基部２の受け部材４４内に形成されていて、凹部４２内には凸部４１が抜けないようにはめ込まれている。受け部材４４は円筒状の部材であり、基部２の上面側の中心位置に固定されている。受け部材４４の中には、挿入部材４５がはめ込まれていて、挿入部材４５の内面側が凹部４２となっている。挿入部材４５の材質は凸部４１を凹部４２の中で円滑に回転できるものを採用している。
【００２４】
受け部材４４と挿入部材４５には、Ｕ字型の切り欠き部４６が形成されている。これにより、凸部４１が凹部４２内でスムーズに回転して部材２１の細い部分４３が切り欠き部４６内に入り込めるので、部材２１は基部２に対して図５の状態から例えば９０度以上の範囲で回転して傾斜した状態を維持できる。このため、この部材２１はジョイント部３１により、基部２に対して垂直の状態はもちろんのこと、好みの方向において任意の角度で傾斜した状態をも維持することができる。
【００２５】
図１と図２に示す中間位置のジョイント部３２は、連結部４の中間位置に設けられている。つまり、ジョイント部３２は連結部４の部材２１の上端部と部材２２の下端部の間の位置に配置されている。このジョイント部３２は、部材２１に対する部材２２の角度を自在に変更してその姿勢を維持することができる。
ジョイント部３２は、図６に示すように、２つの球状の凸部５１，５２と、中間連結部材５５を有しており、中間連結部材５５内には２つの球状の凹部５３、５４が形成されている。
【００２６】
２つの凸部５１，５２は、２つの凹部５３、５４内にそれぞれ抜けないようにしかも回転できるようにはめ込まれている。凸部５１は部材２１の上端部に対して直径の細い部分５６を介して設けられている。凸部５２は部材２２の下端部に対して直径の細い部分５７を介して設けられている。
【００２７】
中間連結部材５５は２つの切り欠き部５８，５９を有しており、それぞれに細い部分５６、５７がはまり込むことで、部材２１と部材２２は中間連結部材５５に対して、９０度以上の範囲で回転して部材２１と部材２２の相対的な角度を自由に変えることができる。中間連結部材５５は、基部２と部材２１に対する部材２２の姿勢を維持する。
【００２８】
図７の上部位置のジョイント部３３は、部材２２の上端部と物品固定部３の間に設けられており、物品固定部３は部材２２に対して角度を自在に変更してその姿勢を維持する。ジョイント部３３は、２つの球状の凸部６１，６２と、中間連結部材６５を有しており、中間連結部材６５内には２つの凹部６３，６４が形成されている。
【００２９】
２つの凸部６１，６２は、２つの凹部６３、６４内にそれぞれ抜けないようにしかも回転できるようにはめ込まれている。凸部６１は部材２２の上端部に対して直径の細い部分６６を介して設けられている。凸部６２は、物品固定部３の円盤状の部材１４の下端部に対して直径の細い部分６７を介して設けられている。
【００３０】
中間連結部材６５は２つの切り欠き部６８，６９を有しており、それぞれに細い部分６６、６７がはまり込むことで、部材２２と物品固定部３は、中間連結部材６５に対して、９０度以上の範囲で回転して、部材２２と物品固定部３の相対的な角度を自由に変えて、部材２２と基部２に対する物品固定部３の姿勢を維持することができる。
【００３１】
次に、図１〜図７に示す物品支持装置１の使用例について説明する。
図１に示す物品１０は、物品支持装置１を用いて、物品１０がいかにも飛行している姿勢を再現できるように支持した状態で、基部２の上方位置において任意の方向について任意の角度や姿勢で展示することができる。
【００３２】
この展示の際には、基部２は設置対象である例えば机の上に置かれる。使用者は、例えば部材２１を手で持って押すことで、ジョイント部３１を利用して、基部２に対する部材２１の姿勢を変えたり、部材２２を手で持って押すことで、ジョイント部３２を利用して、基部２と部材２１に対する部材２２の姿勢を変えることができる。
さらに、物品固定部３を手で持って押すことで、ジョイント部３３を利用して、基部２，部材２１，２２に対する物品固定部３の姿勢とそれに伴い物品固定部３の高さを変えることができる。
【００３３】
そして、使用者は、物品固定部３のマグネット１１に対して物品１０の鉄板１６を当てることで、鉄板１６はマグネット１１に対して磁気的に吸引されるので、物品１０を固定することができる。物品固定部３に対する物品１０の着脱は、マグネット１１の磁力を用いているので、簡単かつ確実に行える。
【００３４】
この部材２１，２２と物品固定部３の姿勢や高さ位置を変える作業は、使用者が任意に選択して行えばよく、部材２１，２２と物品固定部３の姿勢を変える作業と、物品１０を物品固定部３に固定する作業を行う順番は、逆であっても良い。これにより、物品１０は、使用者の好みに応じた方向に沿って任意の姿勢や角度で展示できる。
【００３５】
次に、本発明の他の実施形態について説明する。
（実施形態２）
図８〜図１０に基づいて本発明の実施形態２について説明すると、図８〜図１０に示す実施形態２は、図１の実施形態１とは異なり、連結部４の部材の本数と物品姿勢変更部５のジョイント部の数及び基部２の形状が異なる。
【００３６】
図８に示す物品１０は、飛行機の縮尺スケールのプラスチックモデルであり、物品支持装置１０１はこの物品１０を使用者の好みの姿勢で展示するためのものである。基部２、物品固定部３，連結部４及び物品姿勢変更部５は、例えば透明または透光性のプラスチック材料から作られている。基部２は多角形状の平板部材であり、物品支持装置１０１を例えば机の上や商品展示ケースに置いても安定する。
【００３７】
連結部４は、１本の部材２１を有しており、物品姿勢変更部５は、２つのジョイント部３１，３３を有している。ジョイント部３１は基部２と部材２１の下端部の間に配置され、ジョイント部３３は物品固定部３と部材２２の上端部の間に配置されている。鉄板１６は、物品１０の底部の曲面に合わせてやや湾曲しているが、物品固定部３の形状は、図１の物品固定部３の形状と同じである。これにより、２つのジョイント部３１，３３を使用して、物品１０は、使用者の好みに応じた任意の姿勢や角度で展示することができる。
【００３８】
（実施形態３）
図９に示す物品１０は、飛行機の縮尺スケールのプラスチックモデルであり、物品支持装置２０１はこの物品１０を使用者の好みの姿勢で展示するためのものである。基部２、物品固定部３，連結部４及び物品姿勢変更部５は、例えば透明または透光性のプラスチック材料から作られている。基部２は円盤状の部材であり、物品支持装置２０１を例えば机の上や商品展示ケースに置いた場合に安定する。
【００３９】
連結部４は、１本の部材２１を有しており、物品姿勢変更部５は、１つのジョイント部３３を有しているが、部材２１の下端部と基部２の間には下部のジョイント部は設けられていない。部材２１の下端部は、基部２の円筒部材２Ｒに対して単に挿入して固定されている。図９のジョイント部３３の構造は、図１のジョイント部３３の構造とはやや異なり、球状の凸部６１が部材２１の上端部に設けられ、球状の凹部６３は中間連結部材６５内に設けられている。
【００４０】
中間連結部材６５の上端部は、物品固定部３の円盤状の部材１４の下面に直接固定されている。物品固定部３は、この例では１つのマグネット１１を有しており、マグネット１１は物品１０の鉄板１６を磁気的に吸着している。これにより、１つのジョイント部３３を使用して、物品１０は、使用者の好みに応じた任意の姿勢や角度で展示することができる。
【００４１】
（実施形態４）
図１０に示す物品１０は、これまで図示した物品１０とはやや異なり、例えば紙飛行機である。物品支持装置３０１は、図８に示す物品支持装置１０１に似てはいるが、物品固定部３０３とジョイント部３３３の構造が異なる。図１０の物品支持装置３０１のその他の部分の構造は、図８の物品支持装置１０１の対応する部分の構造と同じである。
【００４２】
物品固定部３０３は、物品１０の下部を挟み込んで着脱自在に固定する挟持部材であり、クリップと呼ぶこともでき、例えば一対の部材３９０．３９１とスプリング３９２を有している。部材３９０．３９１は、軸３９３によりジョイント部３３３の部材３３４に対して開閉できるように支持されている。これにより、使用者は、指で部材３９０，３９１を挟んでスプリング３９２の力に抗して押すことで部材３９０，３９１が開いて、そして指を離すことでスプリング３９２の力により部材３９０，３９１の間に物品１０の下部を挟み込んで固定できる。
【００４３】
物品姿勢変更部５のジョイント部３３３は、球状の凸部６１と球状の凹部６３を有し、凹部６３は球状の中間連結部材３６５内に形成されている。これにより、下部位置のジョイント部３１と上部位置のジョイント部３３３を使用して、物品１０は、使用者の好みに応じた任意の姿勢や角度で展示することができる。
【００４４】
これまで説明した各実施形態は、１つの基部２に対して１つの物品１０を簡単かつ確実に着脱可能にかつ任意の姿勢や角度で展示することができる。
次に説明する各実施形態は、１つの基部に対して複数の物品１０を同じ姿勢や角度、又は別々の姿勢や角度で、簡単かつ確実に着脱自在に同時に展示することができる。これにより、使用者は、好みに応じて複数の同じ種類の物品１０あるいは異なる種類の物品１０を１つの基部２に対して同時に任意の状態で展示することができる。物品１０が飛行機である場合には、飛行機の編隊飛行状態を再現できる。
【００４５】
（実施形態５）
図１１の物品支持装置４０１は、１つの基部２に対して２つの物品１０を同時に同じ姿勢又は別々の姿勢で展示することができる。図１１では２つの物品１０は同じ姿勢で展示されており、飛行機の編隊飛行を再現している。図１１の物品支持装置４０１は、１つの基部２と、２つの物品固定部３と、２つの連結部４と、２つの物品姿勢変更部５を有している。つまり、１つの基部２に対して、２組の物品固定部３，連結部４，物品姿勢変更部５を有している。
【００４６】
図１１に示すように、２つの物品固定部３は、図１に示す物品固定部３と同じ構造のものである。２つの連結部４は、それぞれ１本の部材２１を有しているが、一方の部材２１の長さが他方の部材２１の長さに比べて長くなっている。これにより、一方の物品１０は他方の物品１０に比べて、基部２から離れたより高い位置において自由な姿勢や角度で展示することができる。
【００４７】
図１１に示すように、２つの物品姿勢変更部５は、それぞれ３つのジョイント部３１，３２，３３を有している。下部のジョイント部３１は、共通で使用しており、下部のジョイント部３１は図１に示すジョイント部３１と同じ構造を採用できる。中間位置のジョイント部３２は、部材７５と球状の凸部５１と、球状の凹部５３及び充填部材７７を有している。部材７５は円筒部材の一部を欠き取った形状を有して充填部材７７を収容している。充填部材７７は２つの凹部５３を有している。
【００４８】
２つの凸部５１は、抜けないようにして回転できるように凹部５３内にそれぞれはめ込まれている。部材７５はジョイント部３１の細い部分４３に固定されている。２つのジョイント部３３は、図１のジョイント部３３と同じ構造である。
長さの異なる２本の部材２１，２１を用いて、２組の物品姿勢変更部５を利用することにより、２つの物品１０は同時に同じ姿勢あるいは別々の姿勢で、高さを変えて展示することができる。
【００４９】
（実施形態６）
図１２は、本発明の別の実施形態を示しており、物品支持装置５０１は、１つの基部２に対して２つの物品１０を同時に同じ姿勢あるいは別々の姿勢で展示することができる。図１２では、２つの物品１０は同じ姿勢で展示されて例えば紙飛行機の編隊飛行を再現している。
【００５０】
図１２の物品支持装置５０１は、１つの基部２と、２つの物品固定部３０３と、２つの連結部４と、２つの物品姿勢変更部５を有している。つまり、物品支持装置５０１は、２組の物品固定部３０３と、連結部４と、物品姿勢変更部５を有している。２つの物品固定部３０３は、図１０に示す物品固定部３０３と同じ構造のものであり、図１２の連結部４と物品姿勢変更部５は、図１１に示す連結部４と物品姿勢変更部５と同じ構造のものを採用できる。
【００５１】
（実施形態７）
図１３は、実施形態７を示しており、物品支持装置６０１は３つの物品１０を、１つの基部２に対して同じ姿勢あるいは別々の姿勢で同時に展示することができる。図１３では、３つの物品１０は同じ姿勢で展示されており、例えばプラスチックモデルの飛行機と紙飛行機の編隊飛行を再現している。この例では、３つの物品１０のうちの２つは飛行機のプラスチックモデルであるが、残りの１つの物品１０は紙飛行機である。
【００５２】
図１３の物品支持装置６０１は、１つの円盤状の基部２，３つの物品固定部３，３，３０３，３つの連結部４，３つの物品姿勢変更部５を有している。図１３の物品固定部３は、図１に示す物品固定部３とは少し異なり、２つのマグネット１１と固定部材１３と円盤状の部材１４を有している。２つのマグネット１１は物品１０の底部の鉄板１６を磁気的に吸引する。これに対して、残りの１つの物品固定部３０３は、図１０に示す物品固定部３０３と同じものであり、１つの物品１０を挟んで固定している。
【００５３】
各連結部４は、部材１２０と部材１２１を有しているが、部材１２０は、３つの連結部４に共通した十字型の部材である。２つの物品姿勢変更部５は、それぞれジョイント部３１，３２，３３を有しているが、残りの１つの物品姿勢変更部５は、ジョイント部３１，３２，３３３を有している。この中でジョイント部３１は、３つの物品姿勢変更部５において共通のジョイントであり、基部２の中央に配置されている。
【００５４】
ジョイント部３１の凸部４１は凹部４２に抜けないようにして回転できるようにはめ込まれている。この凸部４１は部材１２０の一端部に設けられており、部材１２０の残りの３つの他端部には別の凸部５１が設けられている。ジョイント部３２，３３の構造は、図１に示すジョイント部３２，３３の構造と同じである。図１３の物品固定部３０３側の１つのジョイント部３３３は、図１２に示すジョイント部３３３と同じ構造である。
これにより、図１３の物品支持装置６０１は、例えば２つのプラスチックモデルの飛行機と１つの紙飛行機との編隊飛行状態を再現している。
【００５５】
（実施形態８）
図１４は、実施形態８を示しており、物品支持装置７０１は４つの物品１０を、１つの基部２に対して同じ姿勢あるいは別々の姿勢で同時に展示することができる。４つの物品１０である紙飛行機が上方の斜めに向いた異なる姿勢と角度で展示されている。４つの物品固定部３０３がそれぞれ物品１０を挟んで固定している。
【００５６】
図１４の例は図１２の例をさらに発展させた構造例であり、４組の物品固定部３０３と連結部４と物品姿勢変更部５を有している。４つのジョイント部３２は、１つの下部のジョイント部３１に対して、追加の下部のジョイント部１００を介して連結されている。これにより、各物品１０は、それぞれ物品姿勢変更部５の４つのジョイント部３１，１００，３２，３３を用いて、１つの基部２に対して同じ姿勢あるいは別々の姿勢で同時に展示することができる。
【００５７】
図１５〜図２０は、本発明の別の実施形態の物品固定部を示している。
（実施形態９）
図１５では、物品固定部３は、２つのマグネット１１が、固定部材１３を介して長方形の部材１４に固定されている。
【００５８】
（実施形態１０）
図１６では、物品固定部３は、３つのマグネット１１を有しており、１つのマグネットは、中心にある部材１４に固定され、残りの２つのマグネット１１は、部材１４Ｂに固定されている。部材１４Ｂは中央の部材１４に対して延長部１４Ｃを用いて延長された位置に保持されているので、３つのマグネット１１が物品１０の湾曲した鉄板１６を磁気的に吸引する際に、弾性変形部材１４Ｃが弾性変形して湾曲する。このため、両側の２つのマグネット１１と中央のマグネット１１は、物品１０の鉄板１６の湾曲した形状に応じて、相対位置が移動して物品１０の鉄板を磁気的に吸引して、簡単かつ確実に物品１０を固定することができる。
【００５９】
図１７と図１８は、本発明の別の実施形態を示している。
（実施形態１１）
図１７では、物品固定部３は、３つのマグネット１１を有しており、各マグネット１１は、部材１４Ｂに固定されている。部材１４Ｂは中央の部材１４に対して弾性変形部材１４Ｃを用いて延長された位置に保持されている。３つのマグネット１１が物品側の湾曲した鉄板を磁気的に吸引する際には、弾性変形部材１４Ｃが湾曲した鉄板の形にに追従して弾性変形して湾曲する。このため、３つのマグネット１１は、物品１０の鉄板１６の湾曲した形状に応じて、物品１０の鉄板を磁気的に吸引して物品１０を簡単かつ確実に固定することができる。
【００６０】
（実施形態１２）
図１８では、物品固定部３は、４つのマグネット１１を有しており、各マグネット１１は、部材１４Ｂに固定されている。部材１４Ｂは中央の部材１４に対して弾性変形部材１４Ｃを用いて延長された位置に保持されているので、４つのマグネット１１が物品の湾曲した鉄板を磁気的に吸引する際に、弾性変形部材１４Ｃが弾性変形して湾曲する。このため、３つのマグネット１１は、物品１０の鉄板１６の湾曲した形状に応じて相対位置が移動して、物品１０の鉄板を磁気的に吸引して物品１０を簡単かつ確実に固定することができる。なお、図１７と図１８において、中央の部材１４にもマグネット１１を配置しても良い。
【００６１】
（実施形態１３）
図１９では、物品固定部３は、板状の部材２００とシート状のマグネット２０１を有しており、板状の部材２００のスリット部分２０２は、物品の底部に対してスライドしてかみ合わせることで物品を機械的に固定する。しかもマグネット２０１は物品の底部の鉄板を磁気的に吸引することで、物品はより確実に固定することができる。
【００６２】
（実施形態１４）
図２０では、物品固定部３は、板状の部材２３０とシート状のマグネット２３１を有しており、マグネット２３１が物品の底部の鉄板を磁気的に吸引する。
図１５〜図２０に示す実施形態は、図１〜図１４に示す実施形態に対して任意に組み合わせて適用することができる
【００６３】
物品１０の全部又は一部が、マグネットにより磁気的に吸引できる材質、例えば鉄などで作られている場合には、物品に対して鉄板などの磁気的な吸引物を別途設ける必要はない。
上述した実施形態は、物品１０を１つないし４つ展示できるが、これに限らず５つ以上の物品を同時に支持して展示できるようにしても良い。
物品支持装置が支持して展示する物品としては、模型飛行機、紙飛行機等の他に、模型の自動車、写真、工芸品等でもよく、特に限定されるものではない。
【００６４】
本発明の物品支持装置の実施形態は、物品固定部３を用いて物品を簡単に着脱することができ、連結部４と物品姿勢変更部５を用いることで、使用者からみて展示対象物である物品は任意の方向に向けて任意の角度で自由な姿勢で展示することができる。このため、模型飛行機のような物品は、その物品の特徴に合わせて自由に展示の姿勢を変更したり設定することができる。
【００６５】
本発明は、上記実施形態に限定されるもではなく、特許請求の範囲を逸脱しない限り、種々の変形例が考えられる。
物品支持装置の材質は、透明や半透明のプラスチックに限らず透明でない材質や、他の種類の材質、例えば金属やセラミックスや木材、木質材料等であっても良い。
金属板に代えて磁気吸引力により吸引できるプラスチックなどの材質であっても良い。物品１０の一部又は全部の材質が磁気的な吸引で固定可能であれば、特別に鉄板１６等の部材を配置する必要はない。
【００６６】
本発明では、物品姿勢変更部のジョイント部は、少なくとも連結部と物品固定部の間に設けられており、これ以外の形態では、連結部の中間位置や、連結部と基部との間の位置等にも設けることができる。ジョイント部の数が増すと、物品はより自由な姿勢や角度で展示することができる。本発明の実施形態では、物品姿勢変更部のジョイント部の数は、少なくとも１つであるが、ジョイント部の数は特に限定されるものではない。
【００６７】
ジョイント部の凸部の形状は、図示例では球状であるが、これに限らず、例えば半球状であっても良い。連結部の各部材は、図示例では棒状であるが、これに限らず例えば角柱状の部材であっても良い。基部は平板状の部材に限らず、例えは半球状や直方体形状等であっても良い。
【００６８】
物品固定部は、マグネットやクリップを使用することにより、物品を着脱自在に簡単かつ確実に固定することができる。しかし、マグネットやクリップに代えて、粘着テープや面ファスナーを使用しても良い。
粘着テープとしては、紙や布あるいはプラスチックの基材に対して粘着材を塗布したものを使用でき、粘着テープは物品固定部に貼り付けてある。物品は、粘着テープの粘着材を用いて物品固定部に対して好ましくは着脱自在に固定できる。また、面ファスナーの場合には、面ファスナーは雌部材と雄部材を係合することで着脱自在に固定でき、例えば雄部材を物品支持装置側に取り付け、雌部材側を物品側に取り付けておく。
【図面の簡単な説明】
【００６９】
【図１】本発明の物品支持装置の好ましい実施形態１を用いて、物品としてのプラスチックモデルの飛行機を支持して展示している様子を示している斜視図である。
【図２】図１に示す物品支持装置だけを示す斜視図である。
【図３】物品の裏面側（下面側）に配置された金属板を示す図である。
【図４】金属板を磁気的に吸着する物品固定部を示す斜視図である。
【図５】上部位置のジョイント部を示している図である。
【図６】中間位置のジョイント部を示している図である。
【図７】下部位置のジョイント部を示している図である。
【図８】本発明の物品支持装置の好ましい実施形態２であり連結部の部材が１つである例を示す図である。
【図９】本発明の物品支持装置の好ましい実施形態３であり連結部の部材が１つでマグネットも１つである例を示す図である。
【図１０】本発明の物品支持装置の好ましい実施形態４であり物品固定部の別の構造例を示す図である。
【図１１】本発明の物品支持装置の好ましい実施形態５であり２つの物品を同時に展示できる例を示す図である。
【図１２】本発明の物品支持装置の好ましい実施形態６であり２つの物品を同時に展示できる例を示す図である。
【図１３】本発明の物品支持装置の好ましい実施形態７であり３つの物品を同時に展示できる例を示す図である。
【図１４】本発明の物品支持装置の好ましい実施形態８であり４つの物品を同時に展示できる例を示す図である。
【図１５】本発明の物品支持装置の好ましい実施形態９であり２つのマグネットを有している例を示す図である。
【図１６】本発明の物品支持装置の好ましい実施形態１０であり３つのマグネットと延長部を有している例を示す図である。
【図１７】本発明の物品支持装置の好ましい実施形態１１であり３つのマグネットと延長部を有している例を示す図である。
【図１８】本発明の物品支持装置の好ましい実施形態１２であり４つのマグネットと延長部を有している例を示す図である。
【図１９】本発明の物品支持装置の好ましい実施形態１３でありシート状のマグネットを有している例を示す図である。
【図２０】本発明の物品支持装置の好ましい実施形態１４でありシート状のマグネットを有している例を示す図である。
【符号の説明】
【００７０】
１    物品支持装置
２    基部
３    物品固定部
４    連結部
５    物品姿勢変更部
１０  物品（展示対象物）
１１  マグネット
１２  保持部材
１４  弾性変形部材
１６  鉄板
２１，２２  部材
３１，３２，３３  ジョイント部
４１，５１，５２、６１，６２  凸部
４２，５３，５４，６３，６４  凹部
１０１，２０１，３０１，４０１，５０１，６０１，７０１  物品支持装置
３０３  物品固定部（挟持部材）
【図１】
2007111344.tif 000003
【図２】
2007111344.tif 000004
【図３】
2007111344.tif 000005
【図４】
2007111344.tif 000006
【図５】
2007111344.tif 000007
【図６】
2007111344.tif 000008
【図７】
2007111344.tif 000009
【図８】
2007111344.tif 000010
【図９】
2007111344.tif 000011
【図１０】
2007111344.tif 000012
【図１１】
2007111344.tif 000013
【図１２】
2007111344.tif 000014
【図１３】
2007111344.tif 000015
【図１４】
2007111344.tif 000016
【図１５】
2007111344.tif 000017
【図１６】
2007111344.tif 000018
【図１７】
2007111344.tif 000019
【図１８】
2007111344.tif 000020
【図１９】
2007111344.tif 000021
【図２０】
2007111344.tif 000022